(57)【要約】  巻回体（１２）と、該巻回体（１２）の一方の端部に電気的に接続された第１端子部（１４）と、巻回体（１２）の他方の端部に電気的に接続された第２端子部（１６）とを有する。巻回体（１２）は、複数の誘電体フィルムが積層され、内部にフローティング電極（２２）が形成された第１フィルム積層体（２０Ａ）と、第１フィルム積層体（２０Ａ）を両面から挟むように配された第１金属膜（２４）及び第２金属膜（２６）と、複数の誘電体フィルムが積層され、内部にフローティング電極（２２）が形成された第２フィルム積層体（２０Ｂ）とを積層した状態で巻回された構成を有する。フローティング電極（２２）は、それぞれ独立した複数の微小電極（３４）が集積されて構成されている。
2007139165.tif 000002
【特許請求の範囲】
【請求項１】
複数の誘電体フィルムが積層され、内部にフローティング電極（２２）が形成された第１フィルム積層体（２０Ａ）と、前記第１フィルム積層体（２０Ａ）を両面から挟むように配された第１金属膜（２４）及び第２金属膜（２６）と、複数の誘電体フィルムが積層され、内部にフローティング電極（２２）が形成された第２フィルム積層体（２０Ｂ）とを積層した状態で巻回された構成を有する巻回体（１２）と、前記巻回体（１２）の一方の端部に電気的に接続された第１端子部（１４）と、前記巻回体（１２）の他方の端部に電気的に接続された第２端子部（１６）とを有するフィルムコンデンサであって、
前記フローティング電極（２２）は、それぞれ独立した複数の微小電極（３４）が集積されて構成され、
各々前記微小電極（３４）は、前記第１金属膜（２４）との間で容量を形成し、且つ、前記第２金属膜（２６）との間で容量を形成し、
前記第１電極膜（２４）は、前記第１端子部（１６）に電気的に接続されるように、前記第１フィルム積層体（２０Ａ）の一方の側端まで延在され、
前記第２電極膜（２６）は、前記第２端子部（１６）に電気的に接続されるように、前記第１フィルム積層体（２０Ａ）の他方の側端まで延在されていることを特徴とするフィルムコンデンサ。
【請求項２】
請求項１記載のフィルムコンデンサにおいて、
前記第１フィルム積層体（２０Ａ）は、
前記フローティング電極（２２）が形成されていない誘電体フィルム（２８Ａ）と、フローティング電極（２２）が形成された誘電体フィルム（２８Ｂ）とを積層した積層体（５０）を少なくとも１組積層して構成されていることを特徴とするフィルムコンデンサ。
【請求項３】
請求項１記載のフィルムコンデンサにおいて、
前記第１フィルム積層体（２０Ａ）は、
前記フローティング電極（２２）が形成された２つ以上の誘電体フィルム（２８Ｂ）を積層した積層体（５２）を少なくとも１組積層して構成されていることを特徴とするフィルムコンデンサ。
【請求項４】
請求項１記載のフィルムコンデンサにおいて、
前記複数の微小電極（３４）は、前記第１フィルム積層体（２０Ａ）を構成する１つの前記誘電体フィルムに金属膜を蒸着することによって形成されていることを特徴とするフィルムコンデンサ。
【請求項５】
請求項４記載のフィルムコンデンサにおいて、
前記複数の微小電極（３４）は、それぞれ矩形形状を有し、前記誘電体フィルムにマトリックス状に配列されて形成されていることを特徴とするフィルムコンデンサ。
【請求項６】
請求項４記載のフィルムコンデンサにおいて、
前記複数の微小電極（３４）は、それぞれ六角形状を有し、前記誘電体フィルムにハニカム状に配列されて形成されていることを特徴とするフィルムコンデンサ。
【請求項７】
請求項１記載のフィルムコンデンサにおいて、
前記第１金属膜（２４）は、前記誘電体フィルムの積層体（５０）にさらに積層される誘電体フィルム（２８Ａ）の１つの主面に蒸着され、前記第２金属膜（２６）は、前記積層体（５０）にさらに積層される別の誘電体フィルム（２８Ａ）の１つの主面に蒸着されていることを特徴とするフィルムコンデンサ。
【請求項８】
請求項１記載のフィルムコンデンサにおいて、
前記第１フィルム積層体（２０Ａ）及び第２フィルム積層体（２０Ｂ）を構成する各誘電体フィルムの幅方向の両端がそれぞれ波形にカットされていることを特徴とするフィルムコンデンサ。
【発明の詳細な説明】
【技術分野】
【０００１】
本発明は、複数の誘電体フィルムが積層され、内部にフローティング電極を含むフィルム積層体が巻回されて構成された巻回体と、前記巻回体の一方の端部に電気的に接続された第１端子部と、前記巻回体の他方の端部に電気的に接続された第２端子部とを有するフィルムコンデンサに関し、特に、自己回復機能と自己保安機能とを有するフィルムコンデンサに関する。
【背景技術】
【０００２】
従来、自己回復機能を有するフィルムコンデンサについては、例えば特許文献１〜４等に開示されている。【０００３】
特許文献１記載のフィルムコンデンサは、誘電体フィルムを挟んで対向する１対のコンデンサ電極のうち、少なくともその一方の電極が金属蒸着によって形成され、該金属蒸着電極をフィルムの長さ方向に沿って等間隔又は任意の間隔に複数箇所の絶縁溝で区分し、複数個の区分電極列を形成するようにしている。区分電極列の各電極は、複数箇所の狭隘な電流通路を残して形成した絶縁溝網である。【０００４】
そして、フィルムの長さ方向に２〜２０個、幅方向に複数個の独立した小電極を形成してなる金属化フィルムを巻回して巻回体を構成し、該巻回体の両端面に金属を溶射して端子電極を形成してコンデンサ素子を設け、該コンデンサ素子を１個又は複数個単位で外装して構成するようにしている。【０００５】
特許文献２記載のフィルムコンデンサは、誘電体フィルムの片面に金属蒸着電極を形成し、その電極部の長手方向及び幅方向に複数個の分割電極を形成し、その分割電極を非電極のマージンで区切るとともに、そのマージンの部分にヒューズ機能を有するマージンヒューズを設け、且つ、このマージンヒューズが一層上及び下の対向電極のマージンヒューズ部分と重なるようにしている。【０００６】
特許文献３記載のフィルムコンデンサは、金属薄膜の設けられた誘電体のコンデンサシートが、シートの進行方向でコンデンサ巻体を形成するように巻き回されているシートコンデンサであって、その金属化部は、金属薄膜に分割部の設けられている形式となっている。金属薄膜は、進行方向に対して横方向で成形された部分的な分割部を有する。【０００７】
特許文献４記載のフィルムコンデンサは、１対の蒸着電極に、容量を形成する有効電極部において、幅方向のほぼ中央部から絶縁マージンに向かう側に、ヒューズにより並列接続された分割電極が設けられている。これにより、メタリコンより離れた位置で流れる電流の少なくなっていく絶縁マージンに近い側にヒューズ、分割電極が設けられた構成となるため、ヒューズによる発熱を少なくして温度上昇を抑制することができるようになっている。【０００８】
なお、本発明が示すような複数の誘電体フィルムが積層されたフィルム積層体の内部にフローティング電極を有するフィルムコンデンサとは異なるが、焼結体としての誘電体基板内にフローティング電極を有するセラミックコンデンサについては、例えば特許文献５〜７等に開示されている。【０００９】
また、ポリプロピレンフィルム上に、該ポリプロピレンフィルムの幅方向に沿って２つの電極をヒューズ部を介して直列に接続形成したものを巻回してフィルムコンデンサを構成した例が、例えば特許文献８に開示されている。【００１０】
【特許文献１】特許第３７１０８７３号公報
【特許文献２】特開平９−１９９３７１号公報
【特許文献３】特表２００２−５０４７４７号公報
【特許文献４】特開２００４−１３４５６１号公報
【特許文献５】特開平７−２６３２６９号公報
【特許文献６】特許第２５９０３５７号公報
【特許文献７】実開昭６０−７６０２８号公報
【特許文献８】特開平８−２８８１７１号公報
【発明の開示】
【００１１】
ところで、フローティング電極を有するセラミックコンデンサは、高耐電圧化のために、複数のフローティング電極を直列に接続することが知られている。しかし、フローティング電極は、焼結体の誘電体基板内に形成されていることから、フィルムコンデンサのような自己回復機能と自己保安機能とを併せ持たせることができない。
【００１２】
また、特許文献８記載のフィルムコンデンサは、発熱対策として、電極間のヒューズ部の蒸着膜厚を厚くするようにしているが、不十分である。
【００１３】
本発明はこのような課題を考慮してなされたものであり、フローティング電極の利点である高耐電圧を図ることができ、放熱効果を有し、しかも、自己回復機能と自己保安機能とを併せ持たせることができ、様々なアプリケーションにも対応させることができるフィルムコンデンサを提供することを目的とする。
【００１４】
本発明に係るフィルムコンデンサは、複数の誘電体フィルムが積層され、内部にフローティング電極が形成された第１フィルム積層体と、前記第１フィルム積層体を両面から挟むように配された第１金属膜及び第２金属膜と、複数の誘電体フィルムが積層され、内部にフローティング電極が形成された第２フィルム積層体とを積層した状態で巻回された構成を有する巻回体と、前記巻回体の一方の端部に電気的に接続された第１端子部と、前記巻回体の他方の端部に電気的に接続された第２端子部とを有するフィルムコンデンサであって、前記フローティング電極は、それぞれ独立した複数の微小電極が集積されて構成され、各々前記微小電極は、前記第１金属膜との間で容量を形成し、且つ、前記第２金属膜との間で容量を形成し、前記第１電極膜は、前記第１端子部に電気的に接続されるように、前記第１フィルム積層体の一方の側端まで延在され、前記第２電極膜は、前記第２端子部に電気的に接続されるように、前記第１フィルム積層体の他方の側端まで延在されていることを特徴とする。
【００１５】
これにより、異常が発生しても、微小電極の単位で電気的に分離することができるため、異常時での容量の大幅な低下等を回避することができる。しかも、第１フィルム積層体を両面から挟むように配された第１金属膜及び第２金属膜を、取出電極にすることができ、この場合、幅広く形成することができるため、放熱経路としても有効に利用することができる。
【００１６】
このように、本発明においては、フローティング電極の利点である高耐電圧を図ることができ、放熱効果を有し、しかも、自己回復機能と自己保安機能とを併せ持たせることができ、様々なアプリケーションにも対応させることができる。
【００１７】
そして、本発明において、前記第１フィルム積層体は、前記フローティング電極が形成されていない誘電体フィルムと、フローティング電極が形成された誘電体フィルムとを積層した積層体を少なくとも１組積層して構成されていてもよい。
【００１８】
あるいは、前記第１フィルム積層体は、前記フローティング電極が形成された２つ以上の誘電体フィルムを積層した積層体を少なくとも１組積層して構成されていてもよい。
【００１９】
また、本発明において、前記複数の微小電極は、前記第１フィルム積層体を構成する１つの前記誘電体フィルムに金属膜を蒸着することによって形成されていてもよい。
【００２０】
また、本発明において、前記複数の微小電極は、それぞれ矩形形状を有し、前記誘電体フィルムにマトリックス状に配列されて形成されていてもよい。
【００２１】
また、本発明において、前記複数の微小電極は、それぞれ六角形状を有し、前記誘電体フィルムにハニカム状に配列されて形成されていてもよい。
【００２２】
また、本発明において、前記第１金属膜は、前記誘電体フィルムの積層体にさらに積層される誘電体フィルムの１つの主面に蒸着され、前記第２金属膜は、前記積層体にさらに積層される別の誘電体フィルムの１つの主面に蒸着されていてもよい。
【００２３】
また、本発明において、前記フィルム積層体を構成する各誘電体フィルムの幅方向の両端がそれぞれ波形にカットされていてもよい。ここで、波形としては、例えばサイン波や三角波に準じた波形や半円形等が考えられる。
【００２４】
以上説明したように、本発明に係るフィルムコンデンサによれば、フローティング電極の利点である高耐電圧を図ることができ、放熱効果を有し、しかも、自己回復機能と自己保安機能とを併せ持たせることができ、様々なアプリケーションにも対応させることができる。
【図面の簡単な説明】
【００２５】
【図１】図１は、第１フィルムコンデンサの外形の一例を示す斜視図である。
【図２】図２は、第１フィルムコンデンサの巻回体の構成を一部省略して示す斜視図である。
【図３】図３は、第１フィルムコンデンサの構成を一部省略して示す断面図である。
【図４】図４Ａは、フローティング電極を構成する微小電極の形状及び配列の一例を示す説明図である。  図４Ｂは、微小電極の形状及び配列の他の例を示す説明図である。
【図５】図５は、第１フィルムコンデンサの外形の他の例を示す斜視図である。
【図６】図６は、第１フィルムコンデンサの変形例の巻回体の構成を一部省略して示す斜視図である。
【図７】図７は、第２フィルムコンデンサの構成を一部省略して示す断面図である。
【図８】図８は、第３フィルムコンデンサの構成を一部省略して示す断面図である。
【図９】図９は、第４フィルムコンデンサの構成を一部省略して示す断面図である。
【図１０】図１０は、第５フィルムコンデンサの構成を一部省略して示す断面図である。
【発明を実施するための最良の形態】
【００２６】
以下、本発明に係るフィルムコンデンサの実施の形態例を図１〜図１０を参照しながら説明する。【００２７】
先ず、第１の実施の形態に係るフィルムコンデンサ（以下、第１フィルムコンデンサ１０Ａと記す）は、図１に示すように、巻回体１２と、該巻回体１２の一方の端部に電気的に接続された第１端子部１４と、巻回体１２の他方の端部に電気的に接続された第２端子部１６とを有する。【００２８】
巻回体１２は、図２に示すように、複数の誘電体フィルム１８が積層されて構成された少なくとも２つのフィルム積層体（第１フィルム積層体２０Ａ及び第２フィルム積層体２０Ｂ）を有する。【００２９】
第１フィルム積層体２０Ａ及び第２フィルム積層体２０Ｂは、それぞれ内部にフローティング電極２２が形成されている。第１フィルム積層体２０Ａは、第１金属膜２４及び第２金属膜２６によって両面から挟まれた形態となっている。【００３０】
そして、巻回体１２は、上述した第１金属膜２４と、第１フィルム積層体２０Ａと、第２金属膜２６と、第２フィルム積層体２０Ｂとを積層した状態で巻回された構成を有する。【００３１】
特に、この第１フィルムコンデンサ１０Ａの巻回体１２は、図２及び図３に示すように、第１誘電体フィルム２８Ａと第２誘電体フィルム２８Ｂとが積層されて構成された第１フィルム積層体２０Ａと、第２誘電体フィルム２８Ｂの一方の主面に蒸着によって形成されたフローティング電極２２と、第１フィルム積層体２０Ａの１つの主面（例えば上面）に配された第１金属箔３０（第１金属膜２４）と、第１フィルム積層体２０Ａの他の主面（例えば下面）に配された第２金属箔３２（第２金属膜２６）と、同じく第１誘電体フィルム２８Ａと第２誘電体フィルム２８Ｂとが積層されて構成された第２フィルム積層体２０Ａとを積層した状態で巻回された構成を有する。【００３２】
フローティング電極２２は、それぞれ独立した複数の微小電極３４が集積されて構成されている。複数の微小電極３４は、多角形状や円形状等の幾何学模様の形状のものや、ヒョウ柄のようにそれぞれの形状が等しくないものや、それらが混成されたものも考えられ、また、配列も等間隔だけでなく、任意の間隔も考えられる。第１フィルムコンデンサ１０Ａにおいては、複数の微小電極３４は、図４Ａに示すように、それぞれ矩形形状を有し、第２誘電体フィルム２８Ｂの一方の主面にマトリックス状に配列されて形成されている。もちろん、図４Ｂに示すように、複数の微小電極３４は、それぞれ六角形状を有し、第２誘電体フィルム２８Ｂの一方の主面にハニカム状に配列して形成するようにしてもよい。【００３３】
従って、各微小電極３４は、図３に示すように、第１金属箔３０との間で第１容量Ｃ１を形成し、且つ、第２金属箔３２との間で第２容量Ｃ２を形成することとなる。【００３４】
これは、第２フィルム積層体２０Ｂについても同様であり、巻回体１２とした場合に、第２フィルム積層体２０Ｂの下面には第１金属箔３０が位置することになるため、第２フィルム積層体２０Ｂの各微小電極３４は、第１金属箔３０との間で第１容量Ｃ１を形成し、且つ、第２金属箔３２との間で第２容量Ｃ２を形成することとなる。【００３５】
第１誘電体フィルム２８Ａ及び第２誘電体フィルム２８Ｂは、それぞれＰＰ（ポリプロピレン）、ＰＥＴ（ポリエチレンテレフタレート）、ＰＰＳ（ポリフェニレンスルフィド）等で構成することができる。第１誘電体フィルム２８Ａ及び第２誘電体フィルム２８Ｂの幅Ｗａ（図２参照）は１０〜２００ｍｍであり、厚みｔａ（図３参照）は２．０〜３０μｍである。【００３６】
フローティング電極２２の各微小電極３４は、アルミニウム、亜鉛、アルミニウムと亜鉛の合金等で構成することができる。フローティング電極２２の厚みｔｂ（図３参照）は面抵抗が１〜２０オーム／ｍｍ2を満足する厚みが好ましく、例えば１００〜１０００オングストロームである。【００３７】
第１フィルムコンデンサ１０Ａの容量値としては例えば数１０μＦ〜数１００μＦ、定格電圧としては例えば数１００Ｖ（直流）、定格電流としては数１０Ａを想定している。【００３８】
全体の形状としては、図１に示すような円筒形や、図５に示すような扁平形等がある。【００３９】
このように、第１フィルムコンデンサ１０Ａにおいては、異常が発生しても、微小電極３４の単位で電気的に分離することができるため、異常時での容量の大幅な低下等を回避することができる。しかも、第１フィルム積層体２０Ａを両面から挟むように配された第１金属箔３０及び第２金属箔３２を、取出電極にすることができ、この場合、幅広く形成することができるため、放熱経路としても有効に利用することができる。【００４０】
このように、第１フィルムコンデンサ１０Ａにおいては、フローティング電極２２の利点である高耐電圧を図ることができ、放熱効果を有し、しかも、自己回復機能と自己保安機能とを併せ持たせることができ、様々なアプリケーションにも対応させることができる。【００４１】
また、図６に示す変形例に係るフィルムコンデンサ１０Ａａのように、第１誘電体フィルム２８Ａの一方の側端３８ａと他方の側端３８ｂ、第２誘電体フィルム２８Ｂの一方の側端４０ａと他方の側端４０ｂをそれぞれ波形にカットするようにしてもよい。図６では、波形として例えばサイン波に準じた波形を示したが、その他、三角波に準じた波形や半円形等が考えられる。【００４２】
第１誘電体フィルム２８Ａの一方の側端３８ａと他方の側端３８ｂ、第２誘電体フィルム２８Ｂの一方の側端４０ａと他方の側端４０ｂ等が、それぞれ一直線上に形成されている場合、巻回体１２とした際に、巻回体１２の一方の端部及び他方の端部から第１金属箔３０及び第２金属箔３２が露出しにくく、第１端子部１４や第２端子部１６との電気的接続が良好とならないおそれがある。また、巻回体１２のそれぞれの端部と第１端子部１４や第２端子部１６との密着性が問題となるおそれがある。【００４３】
そこで、第１誘電体フィルム２８Ａの一方の側端３８ａと他方の側端３８ｂ、第２誘電体フィルム２８Ｂの一方の側端４０ａと他方の側端４０ｂをそれぞれ波形にカットすることによって、巻回体１２とした際に、巻回体１２の一方の端部及び他方の端部から第１金属箔３０及び第２金属箔３２が露出し易くなり、第１端子部１４や第２端子部６との電気的接続を良好にすることができ、且つ、第１端子部１４や第２端子部１６との密着性も向上させることができる。これは、局部的な大電流の通過を回避することができ、信頼性の向上を図ることができる。【００４４】
次に、第２の実施の形態に係るフィルムコンデンサ（以下、第２フィルムコンデンサ１０Ｂと記す）は、図７に示すように、第１フィルムコンデンサ１０Ａとほぼ同様の構成を有するが、以下の点で異なる。【００４５】
すなわち、第１フィルム積層体２０Ａ及び第２フイルム積層体２０Ｂは、それぞれ第１誘電体フィルム２８Ａと第２誘電体フィルム２８Ｂとが交互に積層されて構成されている。図７の例では、第１フィルム積層体２０Ａは、第１誘電体フィルム２８Ａと第２誘電体フィルム２８Ｂとの積層体５０が２組積層されて構成され、第２フィルム積層体２０Ｂも同様に、第１誘電体フィルム２８Ａと第２誘電体フィルム２８Ｂとの積層体５０が２組積層されて構成されている。【００４６】
第１フィルム積層体２０Ａの上部に位置された第１誘電体フィルム２８Ａの上面に第１金属箔３０が配され、第１フィルム積層体２０Ａの下部に位置された第２誘電体フィルム２８Ｂの下面に第２金属箔３２が配されている。各第２誘電体フィルムの一方の主面にはフローティング電極２２が形成されている。【００４７】
そして、巻回体１２は、第１金属箔３０、第１フイルム積層体２０Ａ、第２金属箔３２、第２フイルム積層体２０Ｂとを積層した状態で巻回された構成を有する。【００４８】
第１フィルム積層体２０Ａにおいて、一方の第２誘電体フイルム２８Ｂにおけるフローティング電極２２の各微小電極３４は、第１金属箔３０との間で第２１容量Ｃ２１を形成し、且つ、他方の第２誘電体フイルム２８Ｂの対応する微小電極３４との間で第２２容量Ｃ２２を形成することとなる。また、他方の第２誘電体フィルム２８Ｂの各微小電極３４は、第２金属箔３２との間で第２３容量Ｃ２３を形成し、且つ、上述したように、一方の第２誘電体フイルム２８Ｂの対応する微小電極３４との間で第２２容量Ｃ２２を形成することとなる。【００４９】
これは、第２フィルム積層体２０Ｂについても同様であり、巻回体１２とした場合に、第２フィルム積層体２０Ｂの下面には第１金属箔３０が位置することになるため、第２フィルム積層体２０Ｂの一方の第２誘電体フイルム２８Ｂにおけるフローティング電極２２の各微小電極３４は、第１金属箔３０との間で第２１容量Ｃ２１を形成し、且つ、他方の第２誘電体フイルム２８Ｂの対応する微小電極３４との間で第２２容量Ｃ２２を形成することとなる。また、他方の第２誘電体フィルム２８Ｂの各微小電極３４は、第２金属箔３２との間で第２３容量Ｃ２３を形成し、且つ、上述したように、一方の第２誘電体フイルム２８Ｂの対応する微小電極３４との間で第２２容量Ｃ２２を形成することとなる。【００５０】
この第２フィルムコンデンサ１０Ｂにおいても、フローティング電極２２の利点である高耐電圧を図ることができ、放熱効果を有し、しかも、自己回復機能と自己保安機能とを併せ持たせることができ、様々なアプリケーションにも対応させることができる。【００５１】
次に、第３の実施の形態に係るフィルムコンデンサ（以下、第３フィルムコンデンサ１０Ｃと記す）は、図８に示すように、第２フィルムコンデンサ１０Ｂとほぼ同様の構成を有するが、以下の点で異なる。【００５２】
すなわち、第１フィルム積層体２０Ａと第２フィルム積層体２０Ｂは、それぞれ第１誘電体フィルム２８Ａと第２誘電体フィルム２８Ｂとの積層体５０が４組積層されて構成されている。【００５３】
そして、第１フィルム積層体２０Ａにおいて、１組目（第１金属箔３０に最も近い第１誘電体フィルム２８Ａと第２誘電体フィルム２８Ｂとの積層体５０）の一方の第２誘電体フイルム２８Ｂにおけるフローティング電極２２の各微小電極３４は、第１金属箔３０との間で第３１容量Ｃ３１を形成し、且つ、隣接する２組目の積層体５０における第２誘電体フィルム２８Ｂの対応する微小電極３４との間で第３２容量Ｃ３２を形成する。【００５４】
２組目の積層体５０における第２誘電体フィルム２８Ｂの各微小電極３４は、上述したように、１組目の積層体５０における第２誘電体フィルム２８Ｂの対応する微小電極３４との間で第３２容量Ｃ３２を形成し、且つ、隣接する３組目の積層体５０における第２誘電体フィルム２８Ｂの対応する微小電極３４との間で第３３容量Ｃ３３を形成する。【００５５】
３組目の積層体５０における第２誘電体フィルム２８Ｂの各微小電極３４は、上述したように、２組目の積層体５０における第２誘電体フィルム２８Ｂの対応する微小電極３４との間で第３３容量Ｃ３３を形成し、且つ、隣接する４組目の積層体５０における第２誘電体フィルム２８Ｂの対応する微小電極３４との間で第３４容量Ｃ３４を形成する。【００５６】
４組目の積層体５０における第２誘電体フィルム２８Ｂの各微小電極３４は、第２金属箔３２との間で第３５容量Ｃ３５を形成し、且つ、上述したように、３組目の積層体５０における第２誘電体フィルム２８Ｂの対応する微小電極３４との間で第３４容量Ｃ３４を形成する。【００５７】
これは、第２フィルム積層体２０Ｂについても同様であり、巻回体１２とした場合に、第２フィルム積層体２０Ｂの下面には第１金属箔３０が位置することになるため、上述した第１フィルム積層体２０Ａと同様に、第３１容量Ｃ３１〜第３５容量Ｃ３５が形成されることになる。【００５８】
この第３フィルムコンデンサ１０Ｃにおいても、フローティング電極２２の利点である高耐電圧を図ることができ、放熱効果を有し、しかも、自己回復機能と自己保安機能とを併せ持たせることができ、様々なアプリケーションにも対応させることができる。【００５９】
上述した第２フィルムコンデンサ１０Ｂでは、第１誘電体フィルム２８Ａと第２誘電体フィルム２８Ｂとの積層体５０を２組設けた例を示し、第３フィルムコンデンサ１０Ｃでは、第１誘電体フィルム２８Ａと第２誘電体フィルム２８Ｂとの積層体５０を４組設けた例を示したが、その他、積層体５０を３組設けてもよいし、５組以上設けてもよい。【００６０】
次に、第４の実施の形態に係るフィルムコンデンサ（以下、第４フィルムコンデンサ１０Ｄと記す）は、図９に示すように、第１フィルムコンデンサ１０Ａとほぼ同様の構成を有するが、以下の点で異なる。【００６１】
第１フィルム積層体２０Ａは、第１誘電体フィルム２８Ａと第２誘電体フィルム２８Ｂとの積層体５０と、該積層体５０の上面に積層された第１誘電体フィルム２８Ａと、積層体５０の下面に積層された第１誘電体フィルム２８Ａとを有する。第１フイルム積層体２０Ｂも同様の構成を有する。すなわち、一方の主面（上面）に第１取出電極４６Ａ（第１金属膜２４）が蒸着によって形成された第１誘電体フィルム２８Ａと、積層体５０と、他方の主面（下面）に第２取出電極４６Ｂ（第２金属膜２６）が蒸着によって形成された第１誘電体フィルム２８Ａとを積層した状態で巻回された構成を有する。  この第４フィルムコンデンサ１０Ｄにおいても、フローティング電極２２の利点である高耐電圧を図ることができ、放熱効果を有し、しかも、自己回復機能と自己保安機能とを併せ持たせることができ、様々なアプリケーションにも対応させることができる。【００６２】
上述した例では、第１フィルム積層体２０Ａ及び第２フィルム積層体２０Ｂとして、フローティング電極２２が形成されていない第１誘電体フィルム２８Ａと、フローティング電極２２が形成された第２誘電体フィルム２８Ｂとを積層した積層体５０を含める構成としたが、その他、図１０に示す第５の実施の形態に係るフィルムコンデンサ（以下、単に第５フィルムコンデンサ１０Ｅと記す）のように、フローティング電極２２が形成された２以上の第２誘電体フィルム２８Ｂを積層した積層体５２を含めるようにしてもよい。図１０に示す第５フィルムコンデンサ１０Ｅでは、第２金属箔３２上に、積層体５２を積層し、該積層体５２上にフローティング電極２２が形成されていない第１誘電体フィルム２８Ａを積層し、さらに、その上に第１金属箔３０を積層した例を示す。もちろん、図１０に示す積層体５２の構成は、上述した第１フィルムコンデンサ１０Ａ〜第４フィルムコンデンサ１０Ｄにも適用させることができる。【００６３】
また、上述した第１フィルムコンデンサ１０Ａ〜第５フィルムコンデンサ１０Ｅでは、第１フィルム積層体２０Ａと第２フィルム積層体２０Ｂの構成をそれぞれ同じ積層構造としたが、別々の積層構造を持たせるようにしてもよい。【００６４】
なお、本発明に係るフィルムコンデンサは、上述の実施の形態に限らず、本発明の要旨を逸脱することなく、種々の構成を採り得ることはもちろんである。
【図１】
2007139165.tif 000003
【図２】
2007139165.tif 000004
【図３】
2007139165.tif 000005
【図４】
2007139165.tif 000006
【図５】
2007139165.tif 000007
【図６】
2007139165.tif 000008
【図７】
2007139165.tif 000009
【図８】
2007139165.tif 000010
【図９】
2007139165.tif 000011
【図１０】
2007139165.tif 000012
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
複数の誘電体フィルムが積層され、内部にフローティング電極（２２）が形成された第１フィルム積層体（２０Ａ）と、前記第１フィルム積層体（２０Ａ）を両面から挟むように配された第１金属膜（２４）及び第２金属膜（２６）と、複数の誘電体フィルムが積層され、内部にフローティング電極（２２）が形成された第２フィルム積層体（２０Ｂ）とを積層した状態で巻回された構成を有する巻回体（１２）と、前記巻回体（１２）の一方の端部に電気的に接続された第１端子部（１４）と、前記巻回体（１２）の他方の端部に電気的に接続された第２端子部（１６）とを有するフィルムコンデンサであって、
前記フローティング電極（２２）は、それぞれ独立した複数の微小電極（３４）が集積されて構成され、
各々前記微小電極（３４）は、前記第１金属膜（２４）との間で容量を形成し、且つ、前記第２金属膜（２６）との間で容量を形成し、
前記第１金属膜（２４）は、前記第１端子部（１４）に電気的に接続されるように、前記第１フィルム積層体（２０Ａ）の一方の側端まで延在され、
前記第２金属膜（２６）は、前記第２端子部（１６）に電気的に接続されるように、前記第１フィルム積層体（２０Ａ）の他方の側端まで延在されていることを特徴とするフィルムコンデンサ。
【請求項２】
請求項１記載のフィルムコンデンサにおいて、
前記第１フィルム積層体（２０Ａ）は、
前記フローティング電極（２２）が形成されていない誘電体フィルム（２８Ａ）と、フローティング電極（２２）が形成された誘電体フィルム（２８Ｂ）とを積層した積層体（５０）を少なくとも１組積層して構成されていることを特徴とするフィルムコンデンサ。
【請求項３】
請求項１記載のフィルムコンデンサにおいて、
前記第１フィルム積層体（２０Ａ）は、
前記フローティング電極（２２）が形成された２つ以上の誘電体フィルム（２８Ｂ）を積層した積層体（５２）を少なくとも１組積層して構成されていることを特徴とするフィルムコンデンサ。
【請求項４】
請求項１記載のフィルムコンデンサにおいて、
前記複数の微小電極（３４）は、前記第１フィルム積層体（２０Ａ）を構成する１つの前記誘電体フィルムに金属膜を蒸着することによって形成されていることを特徴とするフィルムコンデンサ。
【請求項５】
請求項４記載のフィルムコンデンサにおいて、
前記複数の微小電極（３４）は、それぞれ矩形形状を有し、前記誘電体フィルムにマトリックス状に配列されて形成されていることを特徴とするフィルムコンデンサ。
【請求項６】
請求項４記載のフィルムコンデンサにおいて、
前記複数の微小電極（３４）は、それぞれ六角形状を有し、前記誘電体フィルムにハニカム状に配列されて形成されていることを特徴とするフィルムコンデンサ。
【請求項７】
請求項１記載のフィルムコンデンサにおいて、
前記第１金属膜（２４）は、前記誘電体フィルムの積層体（５０）にさらに積層される誘電体フィルム（２８Ａ）の１つの主面に蒸着され、前記第２金属膜（２６）は、前記積層体（５０）にさらに積層される別の誘電体フィルム（２８Ａ）の１つの主面に蒸着されていることを特徴とするフィルムコンデンサ。
【請求項８】
請求項１記載のフィルムコンデンサにおいて、
前記第１フィルム積層体（２０Ａ）及び第２フィルム積層体（２０Ｂ）を構成する各誘電体フィルムの幅方向の両端がそれぞれ波形にカットされていることを特徴とするフィルムコンデンサ。
【手続補正２】
【補正対象書類名】明細書
【補正対象項目名】００１４
【補正方法】変更
【補正の内容】
【００１４】
本発明に係るフィルムコンデンサは、複数の誘電体フィルムが積層され、内部にフローティング電極が形成された第１フィルム積層体と、前記第１フィルム積層体を両面から挟むように配された第１金属膜及び第２金属膜と、複数の誘電体フィルムが積層され、内部にフローティング電極が形成された第２フィルム積層体とを積層した状態で巻回された構成を有する巻回体と、前記巻回体の一方の端部に電気的に接続された第１端子部と、前記巻回体の他方の端部に電気的に接続された第２端子部とを有するフィルムコンデンサであって、前記フローティング電極は、それぞれ独立した複数の微小電極が集積されて構成され、各々前記微小電極は、前記第１金属膜との間で容量を形成し、且つ、前記第２金属膜との間で容量を形成し、前記第１金属膜は、前記第１端子部に電気的に接続されるように、前記第１フィルム積層体の一方の側端まで延在され、前記第２金属膜は、前記第２端子部に電気的に接続されるように、前記第１フィルム積層体の他方の側端まで延在されていることを特徴とする。
【国際調査報告】
2007139165.tif 000013
2007139165.tif 000014
2007139165.tif 000015
2007139165.tif 000016